(57)【要約】      （修正有）【課題】ゲーム特有の情報を用いてユーザにとってより価値の高いゲーム動画を配信することのできるゲーム動画配信装置、ゲーム動画配信方法及びゲーム動画配信プログラムを提供する。【解決手段】ゲーム配信装置において、生成部は、ユーザにより選択されたゲーム動画を生成する動画生成手段と、前記ゲーム動画に含まれる各シーンを識別するシーン識別情報と、前記各シーンが再生される時間の範囲を表す時間情報が関連付けられた関連情報を取得する関連情報取得手段と、前記関連情報に応じて、前記ゲーム動画全体の時間に対する各シーンの時間的な位置を識別表示する関連表示情報を生成する関連表示情報生成手段と、前記生成された動画及び前記関連表示情報を合成する合成手段と、を有する。【選択図】図５
2019164792.tif 000002
【特許請求の範囲】
【請求項１】
ユーザにより選択されたゲーム動画を生成する動画生成手段と、
前記ゲーム動画に含まれる各シーンを識別するシーン識別情報と、前記各シーンが再生される時間の範囲を表す時間情報が関連付けられた関連情報を取得する関連情報取得手段と、
前記関連情報に応じて、前記ゲーム動画全体の時間に対する各シーンの時間的な位置を識別表示する関連表示情報を生成する関連表示情報生成手段と、
前記生成された動画及び前記関連表示情報を合成する合成手段と、
を有することを特徴とするゲーム動画配信装置。
【請求項２】
前記各シーンは、複数種類のシーンを含み、
前記関連表示情報生成手段は、前記シーンの種類毎に前記各シーンを表示する関連表示情報を生成することを特徴とする請求項１記載のゲーム動画配信装置。
【請求項３】
前記ゲーム動画配信装置は、更に、
前記ゲーム動画の生成に関する設定情報を取得する設定情報取得手段を有し、
前記動画生成手段は、前記設定情報に基づいて前記ゲーム動画の少なくとも一部で形成されるゲーム動画を生成する、
ことを特徴とする請求項１記載のゲーム動画配信装置。
【請求項４】
前記ゲーム動画配信装置は、更に、
前記ゲーム動画に対応するゲームプログラムの前記ユーザの進捗状況を表す進捗情報を前記設定情報として取得する進捗情報取得手段、を有し、
前記動画生成手段は、前記ユーザの進捗状況に応じて前記ゲーム動画の少なくとも一部で形成されるゲーム動画を生成する、
ことを特徴とする請求項３記載のゲーム動画配信装置。
【請求項５】
前記ゲーム動画配信装置は、更に、
ユーザの選択指示に応じて、前記ユーザが視聴を希望するゲームを識別するゲーム識別情報及び前記ゲームの動画を表すゲーム動画内のシーンを識別するシーン識別情報を取得する選択指示取得手段と、
前記取得されたゲーム識別情報及びシーン識別情報に関連付けられたゲーム動画識別情報で識別される複数のゲーム動画を選択するための選択画面を表す選択画面情報を生成する選択画面生成手段と、を有し、
前記動画生成手段は、前記ユーザの選択により、前記複数のゲーム動画のうちの１のゲーム動画を生成する、
ことを特徴とする請求項１記載のゲーム動画配信装置。
【請求項６】
前記ゲーム動画配信装置は、更に、
前記生成されたゲーム動画に基づいて、前記関連情報を生成する関連情報生成手段を含む、
ことを特徴とする請求項１記載のゲーム動画配信装置。
【請求項７】
ユーザにより選択されたゲーム動画を生成し、
前記ゲーム動画に含まれる各シーンを識別するシーン識別情報と、前記各シーンが再生される時間の範囲を表す時間情報が関連付けられた関連情報を取得し、
前記関連情報に応じて、前記ゲーム動画全体の時間に対する各シーンの時間的な位置を識別表示する関連表示情報を生成し、
前記生成された動画及び前記関連表示情報を合成する、
ことを特徴とするゲーム動画配信方法。
【請求項８】
ユーザにより選択されたゲーム動画を生成する動画生成手段、
前記ゲーム動画に含まれる各シーンを識別するシーン識別情報と、前記各シーンが再生される時間の範囲を表す時間情報が関連付けられた関連情報を取得する関連情報取得手段、
前記関連情報に応じて、前記ゲーム動画全体の時間に対する各シーンの時間的な位置を識別表示する関連表示情報を生成する関連表示情報生成手段、及び、
前記生成された動画及び前記関連表示情報を合成する合成手段、
としてコンピュータを機能させることを特徴とするゲーム動画配信プログラム。
【請求項９】
ゲーム動画を生成するゲーム動画生成手段と、
前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得するコメント関連情報取得手段と、
前記コメント関連情報に基づいて、前記コメント識別情報で識別されるコメントを表示するコメント表示情報を生成するコメント生成手段と、
前記生成されたコメント表示情報及び前記生成されたゲーム動画を合成した合成動画を生成する合成手段と、
を含むことを特徴とするゲーム動画配信装置。
【請求項１０】
前記ゲーム動画配信装置は、更に、ユーザの指示に応じて、ゲーム動画を識別するゲーム動画識別情報を取得するゲーム動画識別情報取得手段を有し、
前記ゲーム動画生成手段は、前記取得されたゲーム動画識別情報で識別されるゲーム動画を生成する、
ことを特徴とする請求項９記載のゲーム動画配信装置。
【請求項１１】
前記ゲーム動画配信装置は、更に、ユーザの指示に応じて、ゲームを識別するゲーム識別情報を取得するゲーム識別情報取得手段と、
前記取得されたゲーム識別情報で識別されるゲームプログラムを取得するゲームプログラム取得手段と、を有し、
前記ゲーム動画生成手段は、前記取得されたゲームプログラムを実行することにより、前記ゲーム動画を生成する、
ことを特徴とする請求項９記載のゲーム動画配信装置。
【請求項１２】
前記コメント生成手段は、前記コメント関連情報に基づいて、前記生成されたゲーム動画のイベントを検出するイベント検出手段と、
前記検出されたイベントに関するコメントを識別するコメント識別情報を取得するコメント取得手段と、を有し、
前記コメント生成手段は、前記イベントの検出に応じて、前記コメント識別情報で識別されるコメントを表示するコメント表示情報を生成する、
ことを特徴とする請求項９記載のゲーム動画配信装置。
【請求項１３】
前記ゲーム動画配信装置は、更に、
前記ゲーム動画を視聴するユーザからのコメントに基づいて、前記コメント関連情報を更新するコメント関連情報更新手段を含む、
ことを特徴とする請求項９記載のゲーム動画配信装置。
【請求項１４】
ゲーム動画を生成し、
前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得し、
前記コメント関連情報に基づいて、前記コメント識別情報で識別されるコメントを表示するコメント表示情報を生成し、
前記生成されたコメント表示情報及び前記生成されたゲーム動画を合成した合成動画を生成する、
ことを特徴とするゲーム動画配信方法。
【請求項１５】
ゲーム動画を生成するゲーム動画生成手段、
前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得するコメント関連情報取得手段、
前記コメント関連情報に基づいて、前記コメント識別情報で識別されるコメントを表示するコメント表示情報を生成するコメント生成手段、及び、
前記生成されたコメント表示情報及び前記生成されたゲーム動画を合成した合成動画を生成する合成手段、
としてコンピュータを機能させることを特徴とするゲーム動画配信プログラム。 
【発明の詳細な説明】
【技術分野】
【０００１】
本発明は、ゲーム動画配信装置、ゲーム動画配信方法、ゲーム動画配信プログラムに関する。
【背景技術】
【０００２】
例えば、インターネット上のサーバに不特定多数の利用者が投稿した動画を、不特定多数の利用者で共有し、利用者に視聴可能とした動画共有サービスが知られている。そして、当該動画には、例えば、ゲームのプレイを記録したゲーム動画も含まれる。
【発明の概要】
【発明が解決しようとする課題】
【０００３】
ここで、上記のような動画共有サービスを用いてゲーム動画が視聴される場合、通常の動画と同様に視聴され、当該ゲームの個々のシーンにおける所定のイベントに関する情報等、ゲーム特有の情報を用いた視聴サービスは行われていない。
【０００４】
そこで、本発明においては、ゲーム特有の情報を用いてユーザにとってより価値の高いゲーム動画を配信することのできるゲーム動画配信装置等を実現することを目的とする。
【課題を解決するための手段】
【０００５】
（１）本発明の１の態様におけるゲーム動画配信装置は、ユーザにより選択されたゲーム動画を生成する動画生成手段と、前記ゲーム動画に含まれる各シーンを識別するシーン識別情報と、前記各シーンが再生される時間の範囲を表す時間情報が関連付けられた関連情報を取得する関連情報取得手段と、前記関連情報に応じて、前記ゲーム動画全体の時間に対する各シーンの時間的な位置を識別表示する関連表示情報を生成する関連表示情報生成手段と、前記生成された動画及び前記関連表示情報を合成する合成手段と、を有することを特徴とする。
【０００６】
（２）上記（１）に記載のゲーム動画配信装置において、前記各シーンは、複数種類のシーンを含み、前記関連表示情報生成手段は、前記シーンの種類毎に前記各シーンを表示する関連表示情報を生成することを特徴とする。
【０００７】
（３）上記（１）または（２）に記載のゲーム動画配信装置は、更に、前記ゲーム動画の生成に関する設定情報を取得する設定情報取得手段を有し、前記動画生成手段は、前記設定情報に基づいて前記ゲーム動画の少なくとも一部で形成されるゲーム動画を生成することを特徴とする。
【０００８】
（４）上記（３）に記載のゲーム動画配信装置は、更に、前記ゲーム動画に対応するゲームプログラムの前記ユーザの進捗状況を表す進捗情報を前記設定情報として取得する進捗情報取得手段、を有し、前記動画生成手段は、前記ユーザの進捗状況に応じて前記ゲーム動画の少なくとも一部で形成されるゲーム動画を生成することを特徴とする。
【０００９】
（５）上記（１）乃至（４）のいずれかに記載のゲーム動画配信装置は、更に、ユーザの選択指示に応じて、前記ユーザが視聴を希望するゲームを識別するゲーム識別情報及び前記ゲームの動画を表すゲーム動画内のシーンを識別するシーン識別情報を取得する選択指示取得手段と、前記取得されたゲーム識別情報及びシーン識別情報に関連付けられたゲーム動画識別情報で識別される複数のゲーム動画を選択するための選択画面を表す選択画面情報を生成する選択画面生成手段と、を有し、前記動画生成手段は、前記ユーザの選択により、前記複数のゲーム動画のうちの１のゲーム動画を生成することを特徴とする。
【００１０】
（６）上記（１）乃至（５）のいずれかに記載のゲーム動画配信装置は、更に、前記生成されたゲーム動画に基づいて、前記関連情報を生成する関連情報生成手段を含む、ことを特徴とする。
【００１１】
（７）本発明の１の態様における本発明のゲーム動画配信方法は、ユーザにより選択されたゲーム動画を生成し、前記ゲーム動画に含まれる各シーンを識別するシーン識別情報と、前記各シーンが再生される時間の範囲を表す時間情報が関連付けられた関連情報を取得し、前記関連情報に応じて、前記ゲーム動画全体の時間に対する各シーンの時間的な位置を識別表示する関連表示情報を生成し、前記生成された動画及び前記関連表示情報を合成する、ことを特徴とする。
【００１２】
（８）本発明の１の態様における本発明のゲーム動画配信プログラムは、ユーザにより選択されたゲーム動画を生成する動画生成手段、前記ゲーム動画に含まれる各シーンを識別するシーン識別情報と、前記各シーンが再生される時間の範囲を表す時間情報が関連付けられた関連情報を取得する関連情報取得手段、前記関連情報に応じて、前記ゲーム動画全体の時間に対する各シーンの時間的な位置を識別表示する関連表示情報を生成する関連表示情報生成手段、及び、前記生成された動画及び前記関連表示情報を合成する合成手段、としてコンピュータを機能させることを特徴とする。
【００１３】
（９）本発明の他の態様における本発明のゲーム動画配信装置は、ゲーム動画を生成するゲーム動画生成手段と、前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得するコメント関連情報取得手段と、前記コメント関連情報に基づいて、前記コメント識別情報で識別されるコメントを表示するコメント表示情報を生成するコメント生成手段と、前記生成されたコメント表示情報及び前記生成されたゲーム動画を合成した合成動画を生成する合成手段と、を含むことを特徴とする。
【００１４】
（１０）上記（９）に記載のゲーム動画配信装置は、更に、ユーザの指示に応じて、ゲーム動画を識別するゲーム動画識別情報を取得するゲーム動画識別情報取得手段を有し、前記ゲーム動画生成手段は、前記取得されたゲーム動画識別情報で識別されるゲーム動画を生成する、ことを特徴とする。
【００１５】
（１１）上記（９）に記載のゲーム動画配信装置は、更に、ユーザの指示に応じて、ゲームを識別するゲーム識別情報を取得するゲーム識別情報取得手段と、前記取得されたゲーム識別情報で識別されるゲームプログラムを取得するゲームプログラム取得手段と、を有し、前記ゲーム動画生成手段は、前記取得されたゲームプログラムを実行することにより、前記ゲーム動画を生成する、ことを特徴とする。
【００１６】
（１２）上記（９）乃至（１１）のいずれかに記載のゲーム動画配信装置において、前記コメント生成手段は、前記コメント関連情報に基づいて、前記生成されたゲーム動画のイベントを検出するイベント検出手段と、前記検出されたイベントに関するコメントを識別するコメント識別情報を取得するコメント取得手段と、を有し、前記コメント生成手段は、前記イベントの検出に応じて、前記コメント識別情報で識別されるコメントを表示するコメント表示情報を生成する、ことを特徴とする。
【００１７】
（１３）上記（９）乃至（１２）のいずれかに記載のゲーム動画配信装置は、更に、前記ゲーム動画を視聴するユーザからのコメントに基づいて、前記コメント関連情報を更新するコメント関連情報更新手段を含む、ことを特徴とする。
【００１８】
（１４）本発明の他の側面におけるゲーム動画配信方法は、ゲーム動画を生成し、前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得し、前記コメント関連情報に基づいて、前記コメント識別情報で識別されるコメントを表示するコメント表示情報を生成し、前記生成されたコメント表示情報及び前記生成されたゲーム動画を合成した合成動画を生成する、ことを特徴とする。
【００１９】
（１５）本発明の他の側面におけるゲーム動画配信プログラムは、ゲーム動画を生成するゲーム動画生成手段、前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得するコメント関連情報取得手段、前記コメント関連情報に基づいて、前記コメント識別情報で識別されるコメントを表示するコメント表示情報を生成するコメント生成手段、及び、前記生成されたコメント表示情報及び前記生成されたゲーム動画を合成した合成動画を生成する合成手段、としてコンピュータを機能させることを特徴とする。
【図面の簡単な説明】
【００２０】
【図１】第１の実施形態におけるゲーム動画配信システムのハードウェア構成の概要の一例を示す図である。
【図２】第１の実施形態におけるサーバの制御部の機能的構成の概要の一例を示す図である。
【図３】第１の実施形態におけるゲーム関連情報の一例を示す図である。
【図４】第１の実施形態におけるシーン関連情報の一例を示す図である。
【図５】第１の実施形態における生成部の機能的構成の一例を示す図である。
【図６】第１の実施形態における端末に配信される合成動画の一例を示す図である。
【図７】ゲーム動画配信システムの処理のフローの概要の一例を示す図である。
【図８】第２の実施形態におけるサーバの制御部の機能的構成の概要の一例を示す図である。
【図９】第２の実施形態におけるゲーム関連情報の一例を示す図である。
【図１０】第２の実施形態におけるコメント関連情報の一例を示す図である。
【図１１】第２の実施形態におけるコメント関連情報の他の一例を示す図である。
【図１２】第２の実施形態におけるコメント生成部の機能的構成の一例について示す図である。
【図１３】第２の実施形態におけるゲーム動画配信装置の処理のフローの概要の一例を示す図である。
【図１４】第２の実施形態の変形例におけるサーバの制御部の機能的構成の概要の一例を示す図である。
【発明を実施するための形態】
【００２１】
以下、本発明の実施形態について、図面を参照しつつ説明する。なお、図面については、同一又は同等の要素には同一の符号を付し、重複する説明は省略する。
【００２２】
[第１の実施形態]
図１は、本発明の第１の実施の形態におけるゲーム動画配信システムのハードウェア構成の概要の一例について説明するための図である。図１に示すように、ゲーム動画配信システム１００は、ネットワーク１３０（例えば、インターネット）を介して接続されたサーバ１１０及び端末１２０を有する。なお、図１においては、ゲーム動画配信システム１００は、１の端末１２０のみを有しているが、その他複数の端末１２０を有してもよい。
【００２３】
図１に示すように、サーバ１１０は、制御部１１１、記憶部１１２、通信部１１３を含む。また、制御部１１１、記憶部１１２、通信部１１３は、それぞれ、バス１１４を介して接続される。制御部１１１は、例えば、ＣＰＵ等であって、記憶部１１２に格納されたプログラムに従って動作する。記憶部１１２は、例えば、ハードディスクドライブやＲＯＭやＲＡＭ等の情報記録媒体で構成され、制御部１１１によって実行されるプログラムを保持する情報記録媒体である。また、記憶部１１２は、制御部１１１のワークメモリとしても動作する。通信部１１３は、例えば、ネットワークインターフェースであって、制御部１１１からの指示にしたがって、ネットワーク１３０を介して、情報を送受信する。
【００２４】
端末１２０は、制御部１２１、通信部１２２、記憶部１２３、表示部１２４、操作部１２５を含む。同様に、各部１２１乃至１２５は、バス１２６を介して接続される。上述したサーバ１１０と同様に、制御部１２１は、例えば、ＣＰＵ等であって、記憶部１２３に格納されたプログラムに従って動作する。通信部１２２は、ネットワークインターフェースであって、制御部１２１からの指示にしたがって、ネットワーク１３０を介して、情報を送受信する。
【００２５】
記憶部１２３は、例えば、ハードディスクやＲＯＭやＲＡＭ等の情報記録媒体で構成され、制御部１２１によって実行されるプログラムを保持する情報記録媒体である。また、記憶部１２３は、制御部１２１のワークメモリとしても動作する。表示部１２４は、例えば、液晶ディスプレイ、または、有機ＥＬディスプレイ等であって、制御部１２１からの指示に従い、情報を表示する。操作部１２５は、例えば、キーボード、マウス、コントローラ、ボタン等のインターフェースで構成され、ユーザの指示操作に応じて、当該指示操作の内容を制御部１２１に出力する。
【００２６】
なお、上記制御部１１１及び１２１で処理されるプログラムは、例えば、ネットワークを介して、ダウンロードされて提供されてもよいし、または、ＣＤ−ＲＯＭやＤＶＤ−ＲＯＭ等のコンピュータで読み取り可能な各種の情報記録媒体によって提供されてもよい。また、上記サーバ１１０や端末１２０の構成は一例であってこれに限定されるものではない。更に、上記ゲーム動画配信システム１００の構成は一例であってこれに限定されるものではなく、例えば、いわゆるクラウド技術を用いて実現してもよい。また、端末１２０は、例えば、パーソナルコンピュータとディスプレイ、スマートフォン、タブレット、ノート型パソコン、ゲーム装置とテレビ装置、携帯型のゲーム装置とテレビ装置などに相当する。
【００２７】
次に、本実施の形態におけるサーバ１１０の制御部１１１の機能的構成の概要の一例について説明する。図２に示すように、制御部１２１は、例えば、機能的に、選択指示取得部２０１、関連情報取得部２０２、動画取得部２０３、選択画面生成部２０４、配信部２０５、設定情報取得部２０６、生成部２０７を含む。
【００２８】
選択指示取得部２０１は、ユーザからの選択指示を取得する。具体的には、例えば、選択指示取得部２０１は、当該ユーザが使用する端末１２０から、ユーザが視聴を希望するゲームを識別するためのゲーム識別情報（ゲームＩＤ）、及び、当該ゲーム内におけるユーザが視聴を希望するシーンを識別するシーン識別情報（シーンＩＤ）を取得する。ここで、当該シーンＩＤとは、例えば、ゲーム動画における、特定のボス戦、特定の場所、特定のイベント、特定のステージ等の特定のシーンを識別する情報に相当する。
【００２９】
関連情報取得部２０２は、選択指示取得部２０１が取得したゲームＩＤ及びシーンＩＤに基づいて、ゲーム動画識別情報（ゲーム動画ＩＤ）を取得する。
【００３０】
具体的には、例えば、図３に示すように、記憶部１１２は、ゲームＩＤとゲーム動画ＩＤが関連付けられたゲーム関連情報を記憶する。また、記憶部１１２は、例えば、図４に示すように、各シーンの種別（ボス戦、イベント、ステージなど）毎に、各シーン種別ＩＤで識別される各シーンが再生される時間を表す時間情報を関連付けたシーン関連情報を記憶する。なお、当該シーン関連情報はゲーム動画ＩＤ毎に記憶される。ここで、関連情報取得部２０２は、選択指示取得部２０１が取得したゲームＩＤに関連付けられているゲーム動画ＩＤを取得する。
【００３１】
より具体的には、例えば、ゲーム関連情報が図３に示す場合において、選択指示取得部２０１がゲームＩＤ：Ｇ１及びシーンＩＤとしてボス戦ＩＤ:Ｂ１を取得した場合、ゲーム動画ＩＤ：Ｄ１乃至Ｄ３を取得する。
【００３２】
そして、関連情報取得部２０２は、当該ゲームＩＤに関連付けられて記憶されている各シーン関連情報のうち、選択指示取得部２０１が取得したシーンＩＤを含むゲーム動画ＩＤを取得する。具体的には、例えば、上記例においてはシーンＩＤとしてボス戦ＩＤ:Ｂ１を取得されているので、ゲーム動画ＩＤ：Ｄ１に関連付けられているシーン関連情報が図４に示す場合、関連情報取得部２０２は、ゲーム動画ＩＤ：Ｄ１に関連付けられたシーン関連情報のうちボス戦ＩＤ：Ｂ１を含むゲーム動画ＩＤ：Ｄ１を取得する。なお、例えば、図４におけるシーン関連情報は、ボス戦ＩＤ：Ｂ１で識別されるボス戦が、ゲーム動画における時間ｔ１〜ｔ２で再生され、ボス戦ＩＤ：Ｂ２で識別されるボス戦が、ゲーム動画における時間ｔ３〜ｔ４で再生されることを示す。同様に、場所ＩＤ：Ｌ１で識別されるボス戦が、ゲーム動画における時間ｔ１〜ｔ４で再生され、場所ＩＤ：Ｂ２で識別されるボス戦が、ゲーム動画における時間ｔ４〜ｔ５で再生されることを示す。つまり、各シーン識別情報毎に当該各シーンが再生される時間の範囲を表す時間情報が関連付けられる。
【００３３】
動画取得部２０３は、関連情報取得部２０２により取得されたゲームＩＤに基づいて、当該ゲームＩＤで識別されるゲーム動画を取得する。なお、当該ゲーム動画は、例えば、記憶部１１２にゲームＩＤに関連付けて記憶される。例えば、上記例の場合、動画取得部２０３は、ゲームＩＤ：Ｇ１に関連付けられ、ボス戦ＩＤ：Ｂ１を含むゲーム動画ＩＤで識別される各ゲーム動画を取得する。
【００３４】
選択画面生成部２０４は、動画取得部２０３により取得された各ゲーム動画からユーザが視聴を希望する動画を選択するための選択画面を表す選択画面情報を生成し、配信部２０５は、選択画面情報を端末１２０に配信する。当該選択画面は、例えば、各ゲーム動画のサムネイル画像のリスト等を含む。そして、選択指示取得部２０１は、ユーザが視聴を希望する動画を識別するゲーム動画ＩＤを取得する。具体的には、ユーザが、上記選択画面を参照しつつ、ゲーム動画を選択することにより、選択指示取得部２０１は、上記ゲーム動画ＩＤを取得する。
【００３５】
設定情報取得部２０６は、ゲーム動画生成における設定情報を取得する。具体的には、例えば、設定情報とは、例えば、ゲーム動画の再生設定に関するもので、主要シーンのみを再生するダイジェスト化の設定に関する情報を含む。具体的には、例えば、当該ダイジェスト化は、当該ゲーム動画がアクションゲームの場合、ステージ攻略に失敗したプレイや、ＲＰＧゲームにおいて町から町への移動に関する部分を自動的にフィルタリングすることで実現してもよい。また、当該ダイジェスト化は、ゲーム動画の一部のみ再生するなどであってもよいし、当該一部の再生に複数のレベルを設けてもよい。また、当該設定は、ゲームの最終場面が表示されるなど、ゲーム動画で視聴してしまうと当該ゲームをプレイヤが興味を失うようなシーンをフィルタリングする設定であってもよい。また、当該設定は、ゲームの結果がユーザに知られることを防止するネタバレ防止設定であってもよい。
【００３６】
生成部２０７は、端末１２０の画面に表示する動画情報を生成する。具体的には、例えば、図５に示すように、生成部２０７は、例えば、機能的に、動画生成部５０１、関連表示情報生成部５０２、合成部５０３を含む。
【００３７】
動画生成部５０１は、当該設定情報に応じて、当該ユーザが選択したゲーム動画を生成する。具体的には、例えば、設定情報が主要シーンのみのダイジェスト化の場合、動画全体の主要シーンのみを含むゲーム動画を生成する、所定時間毎の一定時間の動画を生成する。また、上記設定が、ゲームの結果が知られることを防止するネタバレ設定である場合には、ゲーム動画に対応するゲームプログラムのユーザのプレイの進捗状況を表す進捗情報を取得する進捗情報取得部（図示なし）を設け、当該進捗状況に応じてゲーム動画の一部のみが再生されるように構成してもよい。具体的には、この場合、例えば、まだユーザがクリアしないステージに関する部分等を省略した既にユーザがプレイしたシーンのみを含むゲーム動画を生成するなどである。
【００３８】
関連表示情報生成部５０２は、ゲーム動画とともに表示する当該ゲーム動画の再生に関連して表示する関連表示情報を生成する。具体的には、例えば、関連表示情報は、図６に示すように、動画全体の時間に対する現在の再生位置を表すプログレスバーや、設定情報の選択に関する情報を表示する情報に相当する。ここで、関連表示情報生成部５０２は、例えば、図４に示すシーン関連情報に基づいて、シーン種別毎（例えば、ボス戦、場所、イベント毎）に、ボス戦が行われているシーン、所定の場所のシーン、イベントが行われているシーン等を識別表示するように構成する。例えば、図４に示したシーン関連情報の場合、ボス戦ＩＤ:Ｂ１で識別されるボス戦をプログレスバーの時間ｔ１乃至ｔ２で識別される位置に表示する等である。なお、ユーザが表示するシーン種別を選択できるように構成してもよい。また、現在のゲーム動画の再生位置についても表示される。なお、一般の動画視聴サービスと同様に、ユーザが、例えば、当該再生位置を移動させることにより、再生位置が変化するように構成してもよい。なお、図６においては、６０１が再生位置を示す。また、図６に示すように、早送りや巻き戻し等を表すアイコン等を設け、当該早送り等の選択に応じて早送り等が行われるように構成してもよい。また、例えば、図６の各イベントをクリック等すると、詳細な分類（例えば、第１のボス戦など）が表示されるように構成してもよい。
【００３９】
合成部５０３は、上記生成されたゲーム動画情報及び関連表示情報を合成する。具体的には、図６に示すように、動画生成部５０１により生成された動画及び関連表示情報生成部５０２により表示された関連表示情報を併せて表示するための合成動画情報を生成する。当該合成画像情報は、配信部２０５により、端末１２０に配信される。なお、図６に示した合成動画情報は一例であって、これに限定されるものではない。
【００４０】
次に、図７を用いて、本実施の形態におけるユーザがゲーム動画を検索してから当該ゲーム動画の視聴を開始するまでのゲーム動画配信システム１００の処理のフローの概要の一例について説明する。
【００４１】
まず、選択指示取得部２０１は、端末１２０からユーザが視聴を希望するゲームを識別するためのゲームＩＤ、及び、当該ゲーム内におけるユーザが視聴を希望するシーンを識別するシーンＩＤを取得する（Ｓ１０１）。関連情報取得部２０２は、選択指示取得部２０１が取得したゲームＩＤ及びシーンＩＤに基づいて、ゲーム動画ＩＤを取得する（Ｓ１０２）。動画取得部２０３は、当該取得されたゲームＩＤに基づいて、記憶部１１２からゲーム動画を取得する（Ｓ１０３）。
【００４２】
選択画面生成部２０４は、動画取得部２０３により取得された各動画からユーザが視聴を希望する動画を選択するための選択画面を生成し、配信部２０５は、選択画面を端末１２０に配信する（Ｓ１０４）。選択指示取得部２０１は、ユーザが視聴を希望する動画を識別するゲーム動画ＩＤを取得する（Ｓ１０５）。設定情報取得部２０６は、ゲーム動画生成における設定情報を取得する（Ｓ１０６）。
【００４３】
動画生成部５０１は、当該設定情報に応じて、当該ユーザが選択したゲーム動画を生成する（Ｓ１０７）。関連表示情報生成部５０２は、ゲーム動画とともに表示する当該ゲーム動画の再生に関連して表示する関連表示情報を生成する（Ｓ１０８）。合成部５０３は、上記生成されたゲーム動画情報及び関連表示情報を合成する（Ｓ１０９）。配信部２０５は、合成部５０３により合成された動画情報を端末１２０に配信する（Ｓ１１０）。
【００４４】
なお、上記のフローは一例であって、本実施の形態は上記フローに限定されるものではない。例えば、Ｓ１０７及びＳ１０８の順序は逆であってもよいし、同時に行われてもよい。
【００４５】
本発明は、上記実施の形態に限定されるものではなく、上記実施の形態で示した構成と実質的に同一の構成、同一の作用効果を奏する構成又は同一の目的を達成することができる構成で置き換えてもよい。
【００４６】
例えば、上記においては、主に、ユーザのゲームの選択及びシーンの選択に基づいて、視聴を希望するゲーム動画を選択する場合について説明したが、例えば、ゲームの選択のみ（つまり、ゲーム識別情報）に基づいてゲーム動画を選択するように構成してもよい。
【００４７】
また、例えば、ゲーム動画配信システム１００にゲームプログラムを実行するゲーム実行部等（図示なし）を設け、上記ゲーム動画の視聴時にユーザのプレイ指示に応じて、当該ゲーム動画の視聴時の状態から当該ゲーム動画に対応するゲームを引き続きプレイできるように構成してもよい。また、例えば、シーン種別情報で識別される特定のシーン（例えば、ボス戦の集合や特定のボス戦のみ）をプレイまたは視聴することができるように構成してもよい。また、記憶されているゲーム動画を、よりスコア等の高いゲーム動画で更新することができるように構成してもよい。
【００４８】
また、例えば、複数の関連するゲーム動画の特定のシーンを関連付け、当該関連する複数のゲーム動画の特定のシーンをユーザが視聴することができるように構成してもよい。例えば、特定のシリーズのゲームのボス戦のゲーム動画の集合や、特定の人物が作成した音楽が用いられているゲーム動画の集合、クリアするのが難しいゲーム動画の集合などを視聴できるように構成してもよい。
【００４９】
更に、ゲーム動画の視聴中に特定のイベントが生じた場合に、当該ゲーム動画を視聴または当該ゲーム動画に対応するゲームをプレイしているユーザに通知することができるように構成してもよい。具体的には、例えば、ゲーム動画を視聴していたユーザに、ボス戦というイベントが生じたことを通知し、当該ボス戦からゲームをプレイするかを問い合わせ、ユーザがプレイを希望する場合には当該ボス戦からゲームをプレイできるように構成してもよい。また、例えば、特定のイベントシーンが終了した際に、ユーザに通知し、次のイベントシーンを視聴するか否かを問い合わせるように構成してもよい。
【００５０】
更に、上記においては、あらかじめゲーム動画にゲーム関連情報及びシーン関連情報が関連付けられている場合について説明した。しかしながら、ゲーム関連情報及びシーン関連情報が関連付けられていないゲーム動画について、シーン検出等を行うことにより、ゲーム関連情報及びシーン関連情報を作出し、関連付けるように構成してもよい。具体的には、例えば、ゲーム動画の出力するＢＧＭや背景画像から、画像認識や音声認識により、ボス戦、会話シーンなどのシーン種別の概要を検出し、その後、同じ種別のシーンとして分類されたシーンを画像、効果音等に基づいて、どのシーンであったか（例えば、１番目のボス戦、２番目のボス戦など）などを検出することによりゲーム関連情報及びシーン関連情報を関連付けるように構成してもよい。また、ゲーム動画を視聴しているユーザがゲーム関連情報及びシーン関連情報を入力するように構成してもよい。また、当該検出は、リアルタイムで行う必要はなく、リプレイ画像等の記録されたゲーム動画を用いて検出するように構成してもよい。
【００５１】
更に、ゲーム動画の記憶に代えて、一度プレイされたゲームのリプレイログ（例えば、プレイした際におけるパッド情報）を記録しておき、当該リプレイログを用いて当該ゲーム動画に対応するゲームプログラムを実行することにより、ゲーム動画を提供するように構成してもよい。また、この場合、当該ゲームのプレイを希望する時間またはゲーム動画として視聴を希望する時間（例えば、５分、１５分、１時間半）や、プレイまたは視聴したい内容（複数のボス戦を連続プレイまたは連続視聴）を指定することで、ゲームのダイジェスト化やゲーム動画のダイジェスト化を図ることができるように構成してもよい。
【００５２】
[第２の実施形態]
次に、本発明の第２の実施形態を説明する。なお、下記において第１の実施形態と同様である点については説明を省略する。
【００５３】
図８は、本実施の形態におけるサーバの制御部の機能的構成の概要の一例について説明するための図である。図８に示すように、制御部１１１は、例えば、機能的に、選択指示取得部８０１、ゲーム動画取得部８０２、コメント関連情報取得部８０３、ゲーム動画生成部８０４、コメント生成部８０５、合成部８０６、配信部８０７を含む。
【００５４】
選択指示取得部８０１は、ユーザのゲーム動画選択指示を取得する。具体的には、例えば、ユーザは、サーバ１１０から配信されるゲーム動画を選択するためのゲーム動画選択画面を参照し、端末１２０の操作部１２５を用いて視聴を希望するゲーム動画を選択する。そして、選択指示取得部８０１は、ネットワーク１３０を介して、当該ゲーム動画選択指示を取得する。当該ゲーム動画選択指示は、例えば、当該選択されたゲーム動画を識別するゲーム動画ＩＤを含む。
【００５５】
ゲーム動画取得部８０２は、上記ゲーム動画選択指示により選択されたゲーム動画を取得する。具体的には、例えば、当該ゲーム動画は、記憶部１１２に記憶されており、ゲーム動画取得部８０２は、当該ゲーム動画選択指示に含まれるゲーム動画ＩＤに基づいて、記憶部１１２から当該ゲーム動画を取得する。
【００５６】
コメント関連情報取得部８０３は、当該ゲーム動画ＩＤに基づいて、コメント関連情報を取得する。具体的には、例えば、図９に示すように、記憶部１１２は、ゲームＩＤとゲーム動画ＩＤが関連付けられたゲーム関連情報を記憶する。また、例えば、記憶部１１２は、例えば、図１０に示すように、各イベントを識別するイベントＩＤ毎に、当該各イベントで付与されたコメントを識別するコメントＩＤを関連付けたコメント関連情報を記憶する。コメント関連情報取得部８０３は、選択指示取得部８０１が取得したゲーム動画ＩＤに関連付けられているゲームＩＤを取得する。そして、当該ゲームＩＤに関連付けられているゲーム動画ＩＤを取得する。具体的には、例えば、図９に示した場合において、選択指示取得部８０１がゲーム動画ＩＤ：Ｄ１を取得した場合、ゲーム動画ＩＤ：Ｄ１にはゲームＩＤ：Ｇ１が関連付けられているので、ゲーム動画ＩＤ：Ｄ１及びＤ２を取得する。そして、当該ゲーム動画ＩＤ：Ｄ１及びＤ２に関連付けられている各コメント関連情報を取得する。なお、イベントとは、例えば、アクションゲームやシューティングゲームのゲーム動画においては、穴に落ちて死んだこと、敵に当たって死んだこと、ステージの選択、ステージをクリアしたこと、ゾンビがいきなり出現したなどを表す。また、ＲＰＧゲームにおいては、ボスが登場したこと、ボスを倒したこと、マジックポイント（ＭＰ）が切れたことなどを表す。また、リズムや音楽に合わせてプレイヤが所定のアクションをする（画面で指示されたボタンを押す、ステップを踏むなど）ゲームにおいては、複数回のコンボを決めたことなどを表す。
【００５７】
具体的には、例えば、上記例の場合において、ゲームＩＤ:Ｄ１に関連付けられたコメント関連情報が図１０に示す場合、コメント関連情報取得部８０３は、図１０に示すコメント関連情報を取得する。また、ゲームＩＤ:Ｄ２に関連付けられたコメント関連情報が図１１に示す場合、コメント関連情報取得部８０３は、図１１に示すコメント関連情報を取得する。
【００５８】
ゲーム動画生成部８０４は、ゲーム選択指示により選択されたゲーム動画を生成する。具体的には、例えば、ゲーム動画取得部８０２により取得されたゲーム動画を生成する。
【００５９】
コメント生成部８０５は、コメントを表示するためのコメント情報を生成する。具体的には、コメント生成部８０５は、図１２に示すように、イベント検出部９０１、コメント情報取得部９０２、コメント関連情報更新部９０３を含む。
【００６０】
イベント検出部９０１は、コメント関連情報に基づいて、当該ゲーム動画のイベントを検出する。具体的には、イベント検出部９０１は、例えば、イベントＩＤで識別されるイベントを検出する。ここで、例えば、当該イベントの検出は、当該ゲームが新規開発のゲームである場合には、ゲームの現在の状況を示すためのＡＰＩ（Application Programming Interface）を準備して当該イベントを検出するように構成してもよい。また、例えば、エミュレータを用いて、専用のゲーム装置で実行するように設計されたゲームを実行する場合には、例えば、当該エミュレータの実行状態を表す実行状態情報や、ＧＰＵ（Graphics Processing Unit）やＳＰＵ（Sound Processing Unit)の情報を活用してどのリソースにアクセス中かなどに基づいて各イベントを検出するように構成してもよい。また、画像認識技術等を用いて各イベントを検出するように構成してもよい。
【００６１】
コメント情報取得部９０２は、当該検出されたイベントのイベントＩＤに基づいて、対応するコメント情報を取得する。具体的には、例えば、取得されたコメント関連情報に含まれるイベントＩＤに関連付けられたコメント情報を識別するコメントＩＤを取得する。例えば、取得されたコメント関連情報が図１０及び図１１に示した場合において、イベント検出部９０１がイベントＩＤ：Ｉ１のイベントＩＤを取得した場合、コメントＩＤ：Ｃ１、Ｃ２、Ｃ６、Ｃ７で識別されるコメントＩＤを取得する。ここで、コメント情報取得部９０２は、例えば、当該ユーザが入力したコメント情報を取得するように構成してもよい。
【００６２】
コメント関連情報更新部９０３は、コメント情報取得部９０２が、当該ユーザからのコメント情報を取得した場合には、対応するコメント関連情報を更新する。具体的には、例えば、当該ユーザが図１０で示されるゲーム動画を視聴している場合において、当該ユーザがイベントＩＤ：Ｉ１で識別されるイベントに、コメントＩＤ：Ｃ１０で識別されるコメント情報を入力した場合、図１０にイベントＩＤ：Ｉ１に更に、コメントＩＤ:Ｃ１０を追加する更新を行う。なお、ユーザは、例えば、当該ユーザが使用している端末１２０を介して、当該コメントを入力する。また、上記においては、１のイベントＩＤに１のコメントＩＤが関連付けられている場合を例として説明したが、１のイベントＩＤに複数のコメントＩＤが関連付けられていてもよいことはいうまでもない。また、上記においてはコメントＩＤをイベントＩＤに関連付ける場合について説明したが、コメント自体（コメント情報）を関連付けてもよい。
【００６３】
コメント表示情報生成部９０４は、取得されたコメントＩＤを表示するためのコメント表示情報を生成する。ここで、当該コメント表示情報の生成は、例えば、プレイヤが進行タイミングを制御できるイベントの場合、会話文の表示にあわせてコメントを表示するように当該コメント表示情報を生成するように構成してもよい。これにより、他のユーザの会話文に対応したコメントを表示することで、例えば、他のユーザの感想を共有できる。また、キャラクタがしゃべった、または、ゲーム内で特定のアクションを起こしたタイミングに応じて、コメントを表示するように構成するなど他の態様であってもよい。また、自動進行のゲームイベントの場合については、例えば、エンディングに入って３０秒のタイミングなど、特定のシーンが開始されてから所定の時間後のタイミングを表示するように構成してもよい。その他、ボスを倒したなどのゲーム内でプレイヤが何かを達成したタイミングでコメントを表示するように構成してもよいし、キャラクタのステータス変化（例えば、レベルがあがった、ボスにやられそうになったなど）に併せて、コメントを表示するように構成してもよい。また、当該イベントに応じて、コメントの表示方法（例えば、フォントや文字のサイズなど）を変更して表示するように構成してもよい。
【００６４】
合成部８０６は、生成されたコメント表示情報及びゲーム動画を合成した合成動画を生成する。配信部８０７は、当該合成動画を配信する。
【００６５】
次に、図１３を用いて、本実施の形態におけるゲーム動画配信装置の処理のフローの概要の一例について説明する。なお、図１３に示した処理のフローは一例であって、本実施の形態は図１３に示した処理のフローに限定されるものではない。
【００６６】
選択指示取得部８０１は、ユーザのゲーム動画選択指示を取得する（Ｓ２０１）。コメント関連情報取得部８０３は、当該ゲーム動画ＩＤに基づいて、コメント関連情報を取得する（Ｓ２０２）。
【００６７】
ゲーム動画生成部８０４は、ゲーム選択指示により選択されたゲーム動画の生成を開始する（Ｓ２０３）。イベント検出部９０１は、当該ゲーム動画のイベントを検出する（Ｓ２０４）。コメント情報取得部９０２は、当該検出されたイベントのイベントＩＤに基づいて、当該イベントＩＤに関連付けられたコメント識別情報を取得する（Ｓ２０５）。コメント関連情報更新部９０３は、コメント情報取得部９０２が、当該ユーザからのコメント情報を取得した場合には、対応するコメント関連情報を更新する（Ｓ２０６）。
【００６８】
コメント表示情報生成部９０４は、取得されたコメントＩＤを表示するためのコメント情報を生成する（Ｓ２０７）。合成部８０６は、イベント検出部９０１のイベント検出に応じて、生成されたコメント情報及びゲーム動画を合成する（Ｓ２０８）。配信部８０７は、当該合成された動画を配信する（Ｓ２０９）。そして、ゲームが終了された場合には、処理を終了する。ゲームが終了されていない場合には、Ｓ２０３に戻る。なお、ゲームが終了については、あらかじめ設定されたゲームの終了、例えば、最後のステージを終了した際であってもよいし、ユーザのゲーム終了指示によるゲームの終了であってもよい。
【００６９】
本実施の形態によれば、ゲーム動画またはゲーム内のイベントにコメントを表すコメント情報を関連付けることから、視聴中のゲーム動画内に付与されたコメントでなくても、ゲーム動画内のイベントの検出に応じて、同じゲームの他のゲーム動画についたコメントを表示することができる。これにより、例えば、コメントが少ないゲーム動画を視聴する場合においても、より多くのコメントを表示することができる。
【００７０】
本発明は、上記実施の形態に限定されるものではなく、上記実施の形態で示した構成と実質的に同一の構成、同一の作用効果を奏する構成又は同一の目的を達成することができる構成で置き換えてもよい。
【００７１】
[変形例]
図１４は、上記第２の実施形態の変形例におけるサーバ１１０の制御部１１１の機能的構成の概要の一例について説明するための図である。なお、下記において第２の実施形態と同様である点については説明を省略する。
【００７２】
図１４に示すように、本変形例においては、制御部１１１は、例えば、機能的に、ゲーム選択指示取得部１４１、ゲームプログラム取得部１４２、コメント関連情報取得部８０３、ゲーム実行部１４３、コメント生成部８０５、合成部８０６、配信部８０７を含む。
【００７３】
ゲーム選択指示取得部１４１は、ユーザのゲーム選択指示を取得する。具体的には、例えば、ユーザは、サーバ１１０から配信されるプレイを希望するゲームを選択するためのゲーム選択画面を参照し、端末１２０の操作部１２５を用いてプレイを希望するゲームを選択する。そして、ゲーム選択指示取得部１４１は、ネットワーク１３０を介して、当該ゲーム選択指示を取得する。当該ゲーム選択指示は、例えば、当該選択されたゲームを識別するゲームＩＤを含む。
【００７４】
ゲームプログラム取得部１４２は、上記ユーザのゲーム選択指示により選択されたゲームプログラムを取得する。具体的には、例えば、当該ゲーム動画は、記憶部１１２に記憶されており、ゲーム動画取得部８０２は、ゲーム選択指示取得部１４１により取得されたゲーム選択指示に含まれるゲームＩＤに基づいて、記憶部１１２から当該ゲームプログラムを取得する。
【００７５】
コメント関連情報取得部８０３は、ゲーム選択指示取得部１４１により取得されたゲームＩＤに基づいて、コメント関連情報を取得する。具体的には、例えば、上記第２の実施形態と同様に、記憶部１１２は、図９に示すように、ゲームＩＤとゲーム動画ＩＤが関連付けられたゲーム関連情報を記憶する。また、例えば、記憶部１１２は、例えば、図１０に示すように、各イベントを識別するイベントＩＤ毎に、当該各イベントで付与されたコメントを識別するコメントＩＤを関連付けたコメント関連情報を記憶する。コメント関連情報取得部８０３は、選択指示取得部８０１が取得したゲームＩＤに関連付けられているゲーム動画ＩＤを取得する。具体的には、例えば、図９に示した場合、選択指示取得部８０１がゲームＧ１を取得した場合、ゲーム動画ＩＤ：Ｄ１及びＤ２を取得する。そして、当該ゲーム動画ＩＤに関連付けられている各コメント関連情報を取得する。
【００７６】
ゲーム実行部１４３は、ゲーム選択指示により選択されたゲームのプログラムを実行しゲーム動画を生成する。具体的には、例えば、ゲームプログラム取得部１４２により取得されたゲームプログラムを実行によるゲーム動画を生成する。
【００７７】
コメント生成部８０５は、コメントを表示するためのコメント情報を生成する。具体的には、例えば、上記第２の実施形態と同様に、コメント生成部８０５は、イベント検出部９０１、コメント情報取得部９０２、コメント関連情報更新部９０３を含む。
【００７８】
イベント検出部９０１は、取得されたコメント関連情報に基づいて、当該ゲーム動画のイベントを検出する。具体的には、イベント検出部９０１は、例えば、取得されたコメント関連情報に含まれるイベントＩＤで識別されるイベントを検出する。コメント情報取得部９０２は、当該検出されたイベントのイベントＩＤに基づいて、対応するコメント情報を取得する。コメント関連情報更新部９０３は、コメント情報取得部９０２が、当該ユーザからのコメント情報を取得した場合には、対応するコメント関連情報を更新する。コメント表示情報生成部９０４は、取得されたコメントＩＤを表示するためのコメント情報を生成する。合成部８０６は、生成されたコメント表示情報及びゲーム動画を合成する。
【００７９】
本変形例によれば、ユーザの選択したゲームの実行の進行に応じて、当該ゲームの他のゲーム動画に付与されたコメントを表示することができる。具体的には、例えば、ボスに倒されたり、穴に落ちて死んだタイミングで、コメントを表示することができる。
【００８０】
本発明は、上記実施の形態に限定されるものではなく、上記実施の形態で示した構成と実質的に同一の構成、同一の作用効果を奏する構成又は同一の目的を達成することができる構成で置き換えてもよい。例えば、上記第１の実施形態、第２の実施形態、及び、変形例のいずれかの組み合わせて用いてもよいし、全部を組み合わせて用いてもよい。例えば、変形例においては、主に、ゲームプログラムを実行する場合に当該ゲームプログラムに対応するゲーム動画に含まれるコメントが表示される場合について説明したが、当該ゲームプログラムの実行に基づくゲーム動画を記憶するように構成してもよい。なお、特許請求の範囲におけるゲーム動画生成手段は、例えば、上記ゲーム動画生成部８０４またはゲーム実行部１４３に相当する。また、特許請求の範囲におけるゲーム動画配信装置は、例えば、サーバ１１０に相当する。
【符号の説明】
【００８１】
１１０  サーバ、１１１  制御部、１１２、１２３  記憶部、１１３、１２２  通信部、１２１  制御部、１２４  表示部、１２５  操作部、１４１  ゲーム選択指示取得部、１４２  ゲームプログラム取得部、１４３  ゲーム実行部、２０１  選択指示取得部、２０２  関連情報取得部、２０３  動画取得部、２０４  選択画面生成部、２０５  配信部、２０６  設定情報取得部、２０７  生成部、５０１  動画生成部、５０２  関連表示情報生成部、５０３  合成部、８０１  選択指示取得部、８０２  ゲーム動画取得部、８０３  コメント関連情報取得部、８０４  ゲーム動画生成部、８０５  コメント生成部、８０６  合成部、８０７  配信部、９０１  イベント検出部、９０２  コメント情報取得部、９０３  コメント関連情報更新部。
【図１】
2019164792.tif 000003
【図２】
2019164792.tif 000004
【図３】
2019164792.tif 000005
【図４】
2019164792.tif 000006
【図５】
2019164792.tif 000007
【図６】
2019164792.tif 000008
【図７】
2019164792.tif 000009
【図８】
2019164792.tif 000010
【図９】
2019164792.tif 000011
【図１０】
2019164792.tif 000012
【図１１】
2019164792.tif 000013
【図１２】
2019164792.tif 000014
【図１３】
2019164792.tif 000015
【図１４】
2019164792.tif 000016
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
ゲーム動画を生成するゲーム動画生成手段と、
前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得するコメント関連情報取得手段と、
前記ゲーム動画を視聴するユーザが入力した前記イベントに関するコメントとともに、前記コメント識別情報で識別される前記他のゲーム動画に付与された該イベントに関するコメントを表示するコメント表示情報を生成するコメント生成手段と、
前記生成されたコメント表示情報及び前記生成されたゲーム動画を合成した合成動画を生成する合成手段と、
を含むことを特徴とするゲーム動画配信装置。
【請求項２】
前記ゲーム動画配信装置は、更に、ユーザの指示に応じて、ゲーム動画を識別するゲーム動画識別情報を取得するゲーム動画識別情報取得手段を有し、
前記ゲーム動画生成手段は、前記取得されたゲーム動画識別情報で識別されるゲーム動画を生成する、
ことを特徴とする請求項１記載のゲーム動画配信装置。
【請求項３】
前記ゲーム動画配信装置は、更に、ユーザの指示に応じて、ゲームを識別するゲーム識別情報を取得するゲーム識別情報取得手段と、
前記取得されたゲーム識別情報で識別されるゲームプログラムを取得するゲームプログラム取得手段と、を有し、
前記ゲーム動画生成手段は、前記取得されたゲームプログラムを実行することにより、前記ゲーム動画を生成する、
ことを特徴とする請求項１記載のゲーム動画配信装置。
【請求項４】
前記コメント生成手段は、前記コメント関連情報に基づいて、前記生成されたゲーム動画のイベントを検出するイベント検出手段と、
前記検出されたイベントに関するコメントを識別するコメント識別情報を取得するコメント取得手段と、を有し、
前記コメント生成手段は、前記イベントの検出に応じて、前記コメント識別情報で識別されるコメントを表示するコメント表示情報を生成する、
ことを特徴とする請求項１記載のゲーム動画配信装置。
【請求項５】
前記ゲーム動画配信装置は、更に、
前記ゲーム動画を視聴するユーザからのコメントに基づいて、前記コメント関連情報を更新するコメント関連情報更新手段を含む、
ことを特徴とする請求項１記載のゲーム動画配信装置。
【請求項６】
ゲーム動画を生成し、
前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得し、
前記ゲーム動画を視聴するユーザが入力した前記イベントに関するコメントとともに、前記コメント識別情報で識別される前記他のゲーム動画に付与された該イベントに関するコメントを表示するコメント表示情報を生成し、
前記生成されたコメント表示情報及び前記生成されたゲーム動画を合成した合成動画を生成する、
ことを特徴とするゲーム動画配信方法。
【請求項７】
ゲーム動画を生成するゲーム動画生成手段、
前記ゲーム動画と同じゲームの他のゲーム動画を表すゲーム動画識別情報を取得するとともに、該ゲーム動画識別情報に関連付けられた、前記ゲーム動画内のイベントを識別するイベント識別情報と、前記イベントに関するコメントを識別するコメント識別情報を含むコメント関連情報を取得するコメント関連情報取得手段、
前記ゲーム動画を視聴するユーザが入力した前記イベントに関するコメントとともに、前記コメント識別情報で識別される前記他のゲーム動画に付与された該イベントに関するコメントを表示するコメント表示情報を生成するコメント生成手段、及び、
前記生成されたコメント表示情報及び前記生成されたゲーム動画を合成した合成動画を生成する合成手段、
としてコンピュータを機能させることを特徴とするゲーム動画配信プログラム。